(57)【要約】【課題】パブリックスペースに併設したワークスペースから、他人に気遣いすることなく、利用客が、持込み携帯端末を使ってのＶＢＴ作業、会議、または商談などを行うことができる多目的カフェの基本構造の提供。【解決手段】多目的カフェの基本構造Ａは、パブリックスペースに併設したワークスペースＷを、収納可能な仕切り板３１により分割可能とし、床２０に椅子３３と机３２を移動可能に設置するとともに、ワークスペースＷの左右の内壁２４、３５および床２０に、インターネット接続用のＲＪ−４５モジュラージャック４２と商用電源を取るためのコンセント本体４１とを備えた複合コンセント４０を埋め込んでいる。これにより、ワークスペースＷで持込み携帯端末６を使ってのＶＢＴ作業、会議、または商談などを行うことができる。【選択図】図２
2019157587.tif 000002
【特許請求の範囲】
【請求項１】
カウンター席と複数のテーブル席とを配置し、一般の来店客が任意の席に座って飲食が可能なパブリックスペースと、
該パブリックスペースに併設され、利用客が、会議、商談、または持込み携帯端末を使ってＶＢＴ作業を行うワークスペースとを備え、有線または無線ＬＡＮにより前記持込み携帯端末でインターネットへの接続が可能な多目的カフェの基本構造であって、
前記ワークスペースは、入口扉、左右の内壁、奥壁、天井、および床を有し、
該床に椅子と机を配置するとともに、前記床または前記左右の内壁に商用電源のコンセントを配設し、
ＲＪ−４５モジュラージャックを前記商用電源のコンセントに配設するか、前記ワークスペースの前記天井にアクセスポイントを配設するか、前記ワークスペースの床に漏洩同軸ケーブルを布設することを特徴とする多目的カフェの基本構造。
【請求項２】
カウンター席と複数のテーブル席とを配置し、一般の来店客が任意の席に座って飲食が可能なパブリックスペースと、
該パブリックスペースに併設され、利用客が、会議、商談、または持込み携帯端末を使ってＶＢＴ作業を行う断面長方形のワークスペースとを備え、有線または無線ＬＡＮにより前記持込み携帯端末でインターネットへの接続が可能な多目的カフェの基本構造であって、
前記ワークスペースは、三カ所に設けられる入口扉、左右の内壁、奥壁、天井、および床を有するとともに、収納可能な二組の仕切板により二区画または三区画に分割可能であり、
前記ワークスペースの前記床に、椅子と机を三組、移動可能に配置するとともに、前記床の中央と前記左右の内壁とに商用電源のコンセントを配設し、
ＲＪ−４５モジュラージャックを前記商用電源のコンセントに配設するか、前記ワークスペースの前記天井にアクセスポイントを配設するか、前記ワークスペースの床に漏洩同軸ケーブルを布設することを特徴とする多目的カフェの基本構造。
【請求項３】
ＬＡＮ接続した、プリンターおよびファックス機能を有する複合機を前記ワークスペースの近傍の前記パブリックスペースに設置し、
前記複合機を駆動させるドライバーを含む多目的アプリケーションを、前記ワークスペースを利用する前記利用客が前記携帯端末にインストールするためのダウンロード先のurl を格納したＱＲコード(登録商標）を記載したパネルを前記ワークスペースの適所に展示しておくことを特徴とする請求項１または請求項２に記載の多目的カフェの基本構造。
【請求項４】
前記ワークスペースを二区画または三区画で使用する場合は、
前記机に延設用の板を連結することを特徴とする請求項２または請求項３に記載の多目的カフェの基本構造。
【発明の詳細な説明】
【技術分野】
【０００１】
本発明は、多目的カフェの基本構造に関する。
【背景技術】
【０００２】
通常の喫茶店は、テーブル間に仕切りが無いので、自分達が座っているテーブルの近くのテーブルに座っている他の客達らへ、自分達の話声や挙動が筒抜けになるため、会議や商談に適しているとは言えない。
特許文献１には、受け付けカウンターを取り囲む様に、遮音材で構成した客室を複数配置した個室型喫茶店舗が記載されている。
【先行技術文献】
【特許文献】
【０００３】
【特許文献１】特開平１１−８１７２５号公報
【発明の概要】
【発明が解決しようとする課題】
【０００４】
特許文献１の様に、全部の客室を個室にすると、店員が待機する受付カウンタと連絡するための電話を全ての個室に設置する必要がある。
また、自前の携帯端末（ノートパソコンやスマートフォン）を喫茶店内へ持ち込んで作業を行おうとしても、携帯端末の外部電源が無いとか、パケット通信料無料で携帯端末からインターネットへ接続できないという課題がある。
【０００５】
本発明の目的は、パブリックスペースに併設したワークスペースから、他人に気遣いすることなく、利用客が、持込み携帯端末を使ってのＶＢＴ作業、会議、または商談などを行うことができる多目的カフェの基本構造の提供にある。
【課題を解決するための手段】
【０００６】
［請求項１について］
多目的カフェの基本構造は、パブリックスペースと、このパブリックスペースに併設されるワークスペースとを備える。            
パブリックスペースには、カウンター席と複数のテーブル席とが配置されている。このパブリックスペースでは、一般の来店客が任意の席に座って飲食が可能である。
【０００７】
ワークスペースは、入口扉、左右の内壁、奥壁、天井、および床を有し、床に椅子と机とを配置している。そして、ワークスペースの床または左右の内壁に商用電源のコンセントを配設している。このワークスペースでは、利用客が、会議、商談、または持込み携帯端末を使ってＶＢＴ作業を行う。
【０００８】
また、下記の構成により、持ち込み携帯端末でワークスペース内から、有線または無線ＬＡＮを介して、インターネットへの接続が可能である。
ＲＪ−４５モジュラージャックを商用電源のコンセントに配設するか、ワークスペースの天井にアクセスポイントを配設するか、ワークスペースの床に漏洩同軸ケーブルを布設する。
【０００９】
請求項１の多目的カフェの基本構造は、パブリックスペースに併設されたワークスペースの利用客が、他人に気遣いすることなく、会議、商談、または持込み携帯端末を使ってＶＢＴ作業を行うことができる。
【００１０】
［請求項２について］
多目的カフェの基本構造は、パブリックスペースと、このパブリックスペースに併設される断面長方形のワークスペースとを備える。            
【００１１】
パブリックスペースには、カウンター席と複数のテーブル席とが配置されている。このパブリックスペースでは、一般の来店客が任意の席に座って飲食が可能である。
【００１２】
ワークスペースは、三カ所に設けた入口扉と、左右の内壁と、奥壁と、天井と、床とを有し、収納可能な二組の仕切板により、二区画または三区画に分割可能である。そして、ワークスペースの床には、椅子と机とが三組、移動可能に配置されている。更に、床の中央と左右の内壁に商用電源のコンセントを配設している。このワークスペースでは、利用客が、会議、商談、または持込み携帯端末を使ってＶＢＴ作業を行う。
【００１３】
また、下記の構成により、持ち込み携帯端末でワークスペース内から、有線または無線ＬＡＮを介して、インターネットへの接続が可能である。
ＲＪ−４５モジュラージャックを商用電源のコンセントに配設するか、ワークスペースの天井にアクセスポイントを配設するか、ワークスペースの床に漏洩同軸ケーブルを布設する。
【００１４】
ワークスペースは、収納可能な二組の仕切板により、二区画または三区画に分割可能である。このため、ワークスペースを利用する人数に応じて、丸々、三区画×１で使用するか、二区画×１と一区画×１で使用するか、一区画×３で使用することが可能である。
この際、ワークスペースの床に、移動可能に配置した、三組の椅子と机を、利用する区画の状態に応じて位置決めする。
【００１５】
左の内壁、右の内壁、床の中央に、商用電源のコンセントを、それぞれ、配設しているので、丸々、三区画×１で使用しても、二区画×１と一区画×１で使用しても、一区画×３で使用しても、ワークスペースの利用客が商用電源のコンセントを使うことができる。  
【００１６】
また、下記の構成により、持ち込み携帯端末でワークスペースの各区画から、有線または無線ＬＡＮを介して、インターネットへの接続が可能である。
ＲＪ−４５モジュラージャックを商用電源のコンセントの全てに配設するか、ワークスペースの天井にアクセスポイントを配設するか、ワークスペースの床に漏洩同軸ケーブルを布設する。
【００１７】
請求項２の多目的カフェの基本構造は、パブリックスペースに併設されたワークスペースの、どの区画の利用客でも、他人に気遣いすることなく、会議、商談、または持込み携帯端末を使ってＶＢＴ作業を行うことができる。
ワークスペースの利用客は、自分達の人数に応じた区画の広さを選べるので、ワークスペースの利用料金を節約できる。また、カフェ側は、ワークスペースを効率良くレンタルすることができる。
【００１８】
［請求項３について］
請求項３の多目的カフェの基本構造では、ＬＡＮ接続した、プリンターおよびファックス機能を有する複合機をワークスペースの近傍のパブリックスペースに設置している。
【００１９】
複合機を利用するには、駆動用のドライバーが必要であるので、そのドライバーを含む多目的アプリケーションを、ワークスペースを利用する利用客が携帯端末にインストールするためのダウンロード先のurl を格納したＱＲコード(登録商標）を記載したパネルをワークスペースの適所に展示しておく。
【００２０】
一般的に携帯端末には、大抵、ＱＲコード(登録商標）リーダー機能が付いているので、利用客は、パネルに記載されたＱＲコード(登録商標）をＱＲコード(登録商標）リーダーで読み取って、ダウンロード先のurl を入手できるので、簡単に多目的アプリケーションを、持ち込み携帯端末へインストールすることができる。
【００２１】
請求項３の多目的カフェの基本構造は、利用客が多目的アプリケーションを持込み携帯端末にインストールすることにより、ワークスペースに居ながら、持込み携帯端末を使って複合機のプリンター機能やファックス機能を使うことができる。
なお、ワークスペースの近傍のパブリックスペースに複合機が設置されているので、プリントアウトした印刷物の回収に手間がかからない。
【００２２】
［請求項４について］
ワークスペースを二区画または三区画で使用する場合は、机に延設用の板を連結する。  延設用の板を連結することにより、椅子どうしの間隔を広げることができるので、利用客らが、ゆったり、椅子に座ることができる。なお、延設用の板に対応して、椅子を増設することもできる。
また、延設用の板を机に連結すると、連結した机の端が、商用電源のコンセントを配設した内壁に近づくので、持ち込み携帯端末の電源をコンセントから容易に取ることができる。
【図面の簡単な説明】
【００２３】
【図１】本発明の実施例１に係る多目的カフェの基本構造の上面図である。
【図２】実施例１に係る多目的カフェの基本構造において、ワークスペースを一区画×３で使用する場合の説明図である。
【図３】実施例１に係る多目的カフェの基本構造において、ワークスペースを二区画×２と一区画×１とで使用する場合の説明図である。
【図４】実施例１に係る多目的カフェの基本構造において、ワークスペースを、丸々、三区画×１で使用する場合の説明図である。
【図５】実施例１に係る多目的カフェの基本構造において、二組の仕切板を収納する様子を示す説明図である。
【図６】ワークスペースの中央の天井にアクセスポイントを配設した実施例２に係る多目的カフェの基本構造の説明図である。
【図７】ワークスペースの床に漏洩同軸ケーブルを布設した実施例３に係る多目的カフェの基本構造の説明図である。
【発明を実施するための形態】
【００２４】
多目的カフェの基本構造は、カウンター席とテーブル席とを配置し、一般の来店客が飲食を行うパブリックスペースと、パブリックスペースに併設されるワークスペースとを備え、ワークスペースは、収納可能な二組の仕切板により二区画または三区画に分割可能であり、床に椅子と机が移動可能に配置され、床の中央と内壁とに商用電源のコンセントを配設し、ワークスペースの天井にアクセスポイントを配設している
多目的カフェの基本構造は、パブリックスペースに併設したワークスペースから、他人に気遣いすることなく、利用客が、持込み携帯端末を使ってのＶＢＴ作業、会議、または商談などを行うことができる。
【実施例１】
【００２５】
本発明の実施例１（請求項１、２、３、４に対応）に係る多目的カフェの基本構造Ａを、図１〜図５に基づいて説明する。
【００２６】
多目的カフェの基本構造Ａは、図１、図２、図3 、図４、図５に示す如く、一般の来店客が任意の席に座って飲食を行うパブリックスペースＰと、このパブリックスペースＰに通路Ｔを隔てて併設され、ビジネスでの利用客がＶＢＴ作業などを行うワークスペースＷとを備える。
そして、プリンターおよびファックス機能を有するネットワーク対応の複合機Ｆが、ワークスペースＷの近傍のパブリックスペースＰに設置されている。
【００２７】
パブリックスペースＰは、調理エリア１に隣接して、複数の椅子１１、…１１をカウンターテーブル１２へ横設したカウンター席１０と、テーブル１３を対峙して長椅子１４、１４を設置した複数のテーブル席１５、…１５とを配置している。
カウンター席１０は、通常、一人でカフェへ来店した一般客が、任意の椅子１１に座って、飲食するための席である。
【００２８】
テーブル席１５は、通常、複数人でカフェへ来店した一般客が、任意の長椅子１４に座って、飲食するための席である。
【００２９】
ワークスペースＷは、床２０の断面が長方形の部屋であり、利用客が、会議、商談、または持込み携帯端末を使ってＶＢＴ作業を行うための部屋である。
このワークスペースＷは、床２０と、三カ所に設けた入口扉２１、２２、２３と、入口から見て左の内壁２４と、入口から見て右の内壁２５と、奥壁２６と、天井２７とを有する。
【００３０】
このワークスペースＷは、収納用の凹部２８へ、折り畳んで収納が可能な、二組の仕切板３１、３１により、二区画または三区画に分割が可能である。
このワークスペースＷの床２０には、脚を有する三組の机３２および椅子３３、…３３が、移動可能に設置されている。
【００３１】
図示左側の机３２の右端には、延設板３４を連結するための金具３２１、３２１が配設され、図示右側の机３２の左端には、延設板３４を連結するための金具３２１、３２１が配設され、中央の机３２の左右端には、延設板３４を連結するための金具３２１、３２１が配設されている。
【００３２】
延設板３４は、矩形形状の平板であり、机３２に配設した金具３２１、３２１と掛合可能な金具３４１、３４１を左右の端に配設している。
【００３３】
机３２、…３２の上には、複合機Ｆを駆動するためのドライバーを含む多目的アプリケーションを持ち込み携帯端末６にインストールするためのダウンロード先のurl を格納したＱＲコード(登録商標）を記載したパネル板５１、５２、５３が置かれている。
パネル板５１、５２、５３には、ＱＲコード(登録商標）の他、区画の番号（５２、５２、５３）も記載されている。
【００３４】
また、仕切板３１近傍の床２０、左の内壁２４、および右の内壁２５には、ＡＣ−１００Ｖ商用電源をコンセント本体４１、４１から取るための埋め込みタイプの複合コンセント４０が配設されている。
【００３５】
さらに、本実施例では、複合コンセント４０に、ＲＪ−４５モジュラージャック４２を配設している。
ＲＪ−４５モジュラージャック４２、４２、４２は、六ポートＨＵＢが付いた有線式のルーターのＬＡＮポートへ、床下を這わせた三本のＬＡＮケーブルを介して電気接続されている。
複合機Ｆも、ＬＡＮケーブルを介して有線式のルーターのＬＡＮポートへ電気接続されている。
【００３６】
仕切板３１は、三枚の木製の板３１１、３１２、３１３を、板端に取り付けたヒンジｈにより回動可能に連結したものである。そして、板３１１、３１２、３１３の上端には、後述する案内溝４３を摺動するローラーが配設され、板３１１、３１２、３１３の表面および裏面には、服などを掛けるためのハンガーｇが収納可能に配置されている。
さらに、ワークスペースＷの室内を三等分する位置の天井２７と、その位置の奥壁２６に設けた収納凹部２８の天井２７には、案内溝４３を設けたレール４４が配設されている（図５参照）。
【００３７】
つぎに、多目的カフェの基本構造ＡのワークスペースＷの利用について説明する。
（ワークスペースＷを三区画に三分割する場合）
図２に示す様に、収納凹部２８、２８から板３１１、３１２、３１３を取り出して、直線上に展開して仕切板３１、３１とする。
【００３８】
図示左端の区画では、机３２の左端が、左の内壁２４に当接する様に、机３２を位置決めする。これにより、左の内壁２４に配設した複合コンセント４０が机３２の上面より少し高い位置に来る。
【００３９】
また、図示右端の区画では、机３２の右端が、右の内壁２５に当接する様に、机３２を位置決めする。これにより、右の内壁２５に配設した複合コンセント４０が机３２の上面より少し高い位置に来る。
【００４０】
さらに、また、図示中央の区画では、ワークスペースＷの床２０の中央に机３２を位置決めする。これにより、仕切板３１近傍の床２０に配設した複合コンセント４０が机３２の左端の下方位置に来る。
そして、各区画において、机３２に対応して椅子３３、…３３を配置する。
なお、各区画において、机３２の反対側への移動は、机３２と仕切板３１との間の隙間を通って行う。
【００４１】
各区画を利用する利用客は、入口２１、２２、２３から入り、持ち込み携帯端末６のＡＣアダプタ６１をコンセント本体４１に差し込み、ＬＡＮケーブル６２のＲＪ−４５コネクタ６３をＲＪ−４５モジュラージャック４２に嵌め込む。
【００４２】
また、持ち込み携帯端末６から複合機Ｆの印刷機能やＦＡＸ機能を使いたい場合は、パネル板５１、５２、５３に記載されているＱＲコード(登録商標）を持ち込み携帯端末６で読み取って、多目的アプリケーションを持ち込み携帯端末６にインストールする。
【００４３】
（ワークスペースＷを、二区画と一区画とに分割する場合）
図３に示す様に、図示左側の収納凹部２８へ板３１１、３１２、３１３を収納し、図示右側の収納凹部２８から板３１１、３１２、３１３を取り出して、直線上に展開して仕切板３１とする。
【００４４】
図示右端の区画では、机３２の右端が、右の内壁２５に当接する様に、机３２を位置決めする。これにより、右の内壁２５に配設した複合コンセント４０が机３２の上面より少し高い位置に来る。
【００４５】
図示左端の区画では、机３２の左端が、左の内壁２４に当接する様に、机３２を位置決めし、金具３４１、３４１を金具３２１、３２１へ掛合して、延設板３４を机３２の図示右側へに連結する。
【００４６】
これにより、左の内壁２４に配設した複合コンセント４０が机３２の上面より少し高い位置に来る。そして、各区画において、机３２に対応して椅子３３、…３３を配置する。  なお、各区画において、机３２の反対側への移動は、机３２と仕切板３１との間の隙間を通って行う。
【００４７】
図示左区画を利用する利用客は、入口２１または入口２２から入る。また、図示右区画を利用する利用客は、入口２３から入る。
そして、持ち込み携帯端末６のＡＣアダプタ６１を、内壁２４、２５のコンセント本体４１に差し込み、ＬＡＮケーブル６２のＲＪ−４５コネクタ６３をＲＪ−４５モジュラージャック４２に嵌め込む。なお、持ち込み携帯端末６のプライベートアドレスは、ＤＨＣＰによって割り振られる。
【００４８】
また、持ち込み携帯端末６から複合機Ｆの印刷機能やＦＡＸ機能を使いたい場合は、パネル板５１、５２、５３に記載されているＱＲコード(登録商標）を携帯端末６で読み取って、多目的アプリケーションを持ち込み携帯端末６にインストールする。
【００４９】
（利用客らが、ワークスペースＷを、まるごと利用する場合）
図４に示す様に、図示左右の収納凹部２８へ、仕切板３１の板３１１、３１２、３１３を収納する。
【００５０】
図示左端の区画では、机３２の左端が、左の内壁２４に当接する様に、机３２を位置決めしする。これにより、左の内壁２４に配設した複合コンセント４０が机３２の上面より少し高い位置に来る。
そして、両端に金具３２１、３２１を配設した机３２を、ワークスペースＷの床２０の中央に位置決めする。
【００５１】
また、図示右端の区画では、机３２の右端が、右の内壁２５に当接する様に、机３２を位置決めし、これにより、左の内壁２４に配設した複合コンセント４０が机３２の上面より少し高い位置に来る。
【００５２】
この状態で、延設板３４の金具３４１、３４１を、机３２の金具３２１、３２１へ掛合して、机３２の図示右側へ延設板３４を連結する。
さらに、延設板３４の金具３４１、３４１を、机３２の金具３２１、３２１へ掛合して、机３２の図示左側へ延設板３４を連結する。
【００５３】
そして、机３２、３２、３２に対応して椅子３３、…３３を配置する。
なお、各机３２の反対側への移動は、延設板３４と机３２との連結を一時的に解除して行う。
【００５４】
ワークスペースＷを利用する利用客は、入口２１、２２、２３から入り、持ち込み携帯端末６を、図示左端または右端の机に置き、ＡＣアダプタ６１をコンセント本体４１に差し込み、ＬＡＮケーブル６２のＲＪ−４５コネクタ６３をＲＪ−４５モジュラージャック４２に嵌め込む。なお、持ち込み携帯端末６のプライベートアドレスは、ＤＨＣＰによって割り振られる。
【００５５】
また、持ち込み携帯端末６から複合機Ｆの印刷機能やＦＡＸ機能を使いたい場合は、パネル板５１、５２、５３に記載されているＱＲコード(登録商標）を持ち込み携帯端末６で読み取って、多目的アプリケーションを携帯端末６にインストールする。
【００５６】
実施例１の多目的カフェの基本構造Ａは、以下の利点を有する。
パブリックスペースＰに併設されたワークスペースＷの、各区画を利用する利用客は、他人に気遣いすることなく、会議、商談、または持ち込み携帯端末６を使ってＶＢＴ作業を行うことができる。
利用客は、自分達の人数に応じた区画の広さを選べるので、ワークスペースの利用料金を節約できる。具体的には、四人迄だと一区画、八人〜十人だと二区画、十二人〜十八人だと三区画。なお、適宜、椅子を追加する。
【００５７】
カフェ側は、ワークスペースを効率良くレンタルすることができる。
具体的には、例えば、１区画の基本料金（１時間迄）を６００円とし、３０分越える毎に３００円追加とする。なお、１人１ドリンク以上の飲食が必要。
【００５８】
なお、左の内壁２４、右の内壁２５、床２０の中央に、コンセント本体４１が付いた埋め込みタイプの複合コンセント４０が配設されているので、丸々、三区画×１で使用しても、二区画×１と一区画×１で使用しても、一区画×３で使用しても、ワークスペースＷの利用客が商用電源をコンセント本体４１から利用することができる。
【００５９】
複合コンセント４０の全てにＲＪ−４５モジュラージャック４２を配設しているので、持ち込み携帯端末６でワークスペースＷの各区画から、有線ＬＡＮを介して、インターネットへの接続が可能である。
【００６０】
ＬＡＮ接続した、プリンターおよびファックス機能を有する複合機ＦをワークスペースＷの近傍のパブリックスペースＰに設置している。
そして、多目的アプリケーションを持ち込み携帯端末６にインストールするためのダウンロード先のurl を格納したＱＲコード(登録商標）を記載したパネル５１、５２、５３を机２１、３２、３２上に載置していている。
【００６１】
このため、利用客は、パネル５１、５２、５３に記載されたＱＲコード(登録商標）を、持ち込み携帯端末６のＱＲコード(登録商標）リーダーで読み取ってダウンロード先のurl を入手できるので、簡単に多目的アプリケーションを、持ち込み携帯端末６へインストールすることができる。  
【００６２】
利用客が多目的アプリケーションを持込み携帯端末６にインストールすることにより、ワークスペースＷに居ながら、持ち込み携帯端末６を使って複合機Ｆのプリンター機能やファックス機能を使うことができる。
なお、ワークスペースＷの近傍のパブリックスペースＰに複合機Ｆが設置されているので、プリントアウトした印刷物の回収に手間がかからない。
【００６３】
ワークスペースＷを二区画または三区画で使用する場合は、机３２に延設用の板３４を連結する。
延設用の板３４を連結することにより、椅子３３どうしの間隔を広げることができるので、利用客らが、ゆったり、椅子３３に座ることができる。
【００６４】
また、延設用の板３４を机３２に連結すると、連結した机３２の端が、複合コンセント４０を配設した内壁２４、２５に近づくので、持ち込み携帯端末６の電源をコンセント本体４１から容易に取ることができる。
【実施例２】
【００６５】
本発明の実施例２（請求項１、２、３、４に対応）に係る多目的カフェの基本構造を図６（図１〜図５も参照）に基づいて説明する。
【００６６】
実施例２の多目的カフェの基本構造において、ワークスペースＷの利用の際の仕切板３１、３２の収納および展開については、実施例１と同じである。
また、机３２、３２、３２および椅子３３、…３３の位置決め、および延設用の板３４の連結についても、実施例１と同じである。
【００６７】
まず、持ち込み携帯端末６とアクセスポイント９との無線Ｗｉ−Ｆｉ通信を下記の手順で確立させる。
（例：持ち込み携帯端末６がスマートフォンの場合）
メニューから設定画面を出し、”無線とネットワーク”をタップ
ワイヤレスとネットワークの設定の画面で”Ｗｉ−Ｆｉ設定”をタップ
Ｗｉ−Ｆｉ設定の画面で”Ｗｉ−ＦｉをＯＮにする”にレを入れる
Ｗｉ−Ｆｉ設定の画面の”Ｗｉ−Ｆｉネットワークを追加”をタップ
”Ｗｉ−Ｆｉネットワークを追加”窓に下記のデータを入力し、”保存”をタップ
ネットワークＳＳＩＤ⇒持ち込み携帯端末６の筐体裏面のラベル記載のＳＳＩＤを入力          セキュリティ⇒プルダウンメニューからＷＰＡ２  ＰＳＫを選択
パスワード⇒筐体裏面のラベルに記載されているセキュリティキーの内容
”．．のＳＳＩＤに接続されました”が表示され、ステータスバーに通信確立アイコンが表示される。
【００６８】
さらに、持ち込み携帯端末６から複合機Ｆの印刷機能やＦＡＸ機能を使いたい場合は、アクセスポイント９との通信が確立した後に、パネル板５１、５２、５３に記載されているＱＲコード(登録商標）を持ち込み携帯端末６で読み取って、多目的アプリケーションを携帯端末６にインストールする。
【００６９】
実施例２の多目的カフェの基本構造は、下記の点が実施例１の多目的カフェの基本構造Ａと異なる。
実施例２の多目的カフェの基本構造では、仕切板３１近傍の床２０、左の内壁２４、および右の内壁２５に配設されているコンセントは、ＲＪ−４５モジュラージャックが付いていないＡＣ−１００Ｖの商用電源だけを取るための埋め込みタイプである。
【００７０】
実施例２の多目的カフェの基本構造では、ワークスペースＷの中央の天井２７に、２．４ＧＨｚ帯の無線Ｗｉ−Ｆｉのアクセスポイント９を配設している。
このアクセスポイント９は、ＬＡＮケーブル９１を介して、インターネット回線９０に常時接続されるルーター９２のＬＡＮポートに電気接続されている。
そして、複合機Ｆは、ＬＡＮケーブル９３を介してルーター９２のＬＡＮポートへ電気接続されている。
【００７１】
実施例２の多目的カフェの基本構造において、各区画を利用する利用客は、持込み携帯端末６のＡＣアダプタ６１を、内壁２４、２５または床２０に埋め込まれたコンセントに差し込む。
【００７２】
実施例２の多目的カフェの基本構造は、以下の利点を有する。
パブリックスペースＰに併設されたワークスペースＷの利用客は、他人に気遣いすることなく、会議、商談、または持込み携帯端末６を使ってＶＢＴ作業を行うことができる。  なお、左の内壁２４、右の内壁２５、床２０の中央に、コンセント本体４１が付いた埋め込みタイプのコンセントが配設されているので、丸々、三区画×１で使用しても、二区画×１と一区画×１で使用しても、一区画×３で使用しても、ワークスペースＷの利用客が商用電源をコンセントから利用することができる。
【００７３】
ワークスペースＷの中央の天井２７に、２．４ＧＨｚ帯の無線Ｗｉ−Ｆｉのアクセスポイント９を配設しているため、持ち込み携帯端末６でワークスペースＷの各区画から、無線Ｗｉ−Ｆｉを介して、インターネット９０への接続が可能である。
【００７４】
ルーター９２へＬＡＮ接続した、プリンターおよびファックス機能を有する複合機ＦをワークスペースＷの近傍のパブリックスペースＰに設置している。
そして、多目的アプリケーションを携帯端末６にインストールするためのダウンロード先のurl を格納したＱＲコード(登録商標）を記載したパネル５１、５２、５３を机２１、３２、３２上に載置していている。
【００７５】
このため、利用客は、パネル５１、５２、５３に記載されたＱＲコード(登録商標）を、携帯端末６のＱＲコード(登録商標）リーダーで読み取って、ダウンロード先のurl を入手できるので、簡単に多目的アプリケーションを、持ち込み携帯端末６へインストールすることができる。
【００７６】
利用客が多目的アプリケーションを持込み携帯端末６にインストールすることにより、ワークスペースＷに居ながら、持込み携帯端末６を使って複合機Ｆのプリンター機能やファックス機能を使うことができる。
なお、ワークスペースＷの近傍のパブリックスペースＰに複合機Ｆが設置されているので、プリントアウトした印刷物の回収に手間がかからない。
【００７７】
ワークスペースＷを二区画または三区画で使用する場合は、机３２に延設用の板３４を連結する。
延設用の板３４を連結することにより、椅子３３どうしの間隔を広げることができるので、利用客らが、ゆったり、椅子３３に座ることができる。
【００７８】
また、延設用の板３４を机３２に連結すると、連結した机３２の端が、コンセント４０を配設した内壁２４、２５に近づくので、持ち込み携帯端末６の電源をコンセントから容易に取ることができる。
【実施例３】
【００７９】
本発明の実施例３（請求項１、２、３、４に対応）に係る多目的カフェの基本構造を図７（図１〜図５も参照）に基づいて説明する。
【００８０】
実施例３の多目的カフェの基本構造において、ワークスペースＷの利用の際の仕切板３１、３２の収納および展開については、実施例１と同じである。
また、机３２、３２、３２および椅子３３、…３３の位置決め、および延設用の板３４の連結についても、実施例１と同じである。
【００８１】
実施例３の多目的カフェの基本構造は、下記の点が実施例１の多目的カフェの基本構造Ａと異なる。
実施例３の多目的カフェの基本構造では、仕切板３１近傍の床２０、左の内壁２４、および右の内壁２５に配設されているコンセントは、ＲＪ−４５モジュラージャックが付いていないＡＣ−１００Ｖの商用電源だけを取るための埋め込みタイプである。
【００８２】
実施例３の多目的カフェの基本構造では、ワークスペースＷの木製の床２０に断面Ｕ字状の溝Ｍを形成し、この溝内に漏洩同軸ケーブル７を布設して木の板Ｎで塞いでいる。
漏洩同軸ケーブル７は、アプローチケーブル７１を介してアクセスポイント８（２．４ＧＨｚ帯）に接続されている。
【００８３】
このアクセスポイント８は、ＬＡＮケーブル８１を介して、インターネット回線８０に常時接続されるルーター８２のＬＡＮポートに電気接続されている。
そして、複合機Ｆは、ＬＡＮケーブル８３を介してルーター７２のＬＡＮポートへ電気接続されている。
【００８４】
実施例３の多目的カフェの基本構造において、各区画を利用する利用客は、持込み携帯端末６のＡＣアダプタ６１を、内壁２４、２５または床２０に埋め込まれたコンセントに差し込む。
携帯端末６とアクセスポイント８との通信の確立は、実施例２に準じる。
【００８５】
実施例３の多目的カフェの基本構造は、以下の利点を有する。
パブリックスペースＰに併設されたワークスペースＷの利用客は、他人に気遣いすることなく、会議、商談、または持込み携帯端末６を使ってＶＢＴ作業を行うことができる。  なお、左の内壁２４、右の内壁２５、床２０の中央に、埋め込みタイプのコンセントが配設されているので、丸々、三区画×１で使用しても、二区画×１と一区画×１で使用しても、一区画×３で使用しても、ワークスペースＷの利用客が商用電源をコンセントから利用することができる。
【００８６】
実施例３の多目的カフェの基本構造では、ワークスペースＷの木製の床２０に断面Ｕ字状の溝Ｍを形成し、この溝Ｍ内に漏洩同軸ケーブル７を布設して木の板Ｎで塞いでいる。  このため、持ち込み携帯端末６でワークスペースＷの各区画から、無線Ｗｉ−Ｆｉを介して、インターネットへの接続が可能である。
漏洩同軸ケーブル７によるサービスエリアは、布設した床から数ｍまでなので、パブリックスペースＰや屋外からのアクセスができないため、有線ＬＡＮ並にセキュリティが高い。
【００８７】
ルーター６２へＬＡＮ接続した、プリンターおよびファックス機能を有する複合機ＦをワークスペースＷの近傍のパブリックスペースＰに設置している。
そして、多目的アプリケーションを携帯端末６にインストールするためのダウンロード先のurl を格納したＱＲコード(登録商標）を記載したパネル５１、５２、５３を机２１、３２、３２上に載置していている。
【００８８】
このため、利用客は、パネル５１、５２、５３に記載されたＱＲコード(登録商標）を、携帯端末６のＱＲコード(登録商標）リーダーで読み取って、ダウンロード先のurl を入手できるので、簡単に多目的アプリケーションを、持ち込み携帯端末６へインストールすることができる。
【００８９】
利用客が多目的アプリケーションを持込み携帯端末６にインストールすることにより、ワークスペースＷに居ながら、持込み携帯端末６を使って複合機Ｆのプリンター機能やファックス機能を使うことができる。
なお、ワークスペースＷの近傍のパブリックスペースＰに複合機Ｆが設置されているので、プリントアウトした印刷物の回収に手間がかからない。
【００９０】
ワークスペースＷを二区画または三区画で使用する場合は、机３２に延設用の板３４を連結する。
延設用の板３４を連結することにより、椅子３３どうしの間隔を広げることができるので、利用客らが、ゆったり、椅子３３に座ることができる。
【００９１】
また、延設用の板３４を机３２に連結すると、連結した机３２の端が、コンセント４０を配設した内壁２４、２５に近づくので、持ち込みの携帯端末６の電源をコンセントから容易に取ることができる。
なお、漏洩同軸ケーブル７を、ワークスペースＷの床２０の溝Ｍに布設する構成であるので、仕切板３１、３２の収納や展開、机３２および椅子の位置決めの際に、漏洩同軸ケーブル７が邪魔にならない。
【００９２】
本発明は、上記実施例以外に、つぎの実施態様を含む。
ａ．持ち込み携帯端末は、ノートパソコン以外に、ラップトップパソコン、ハンドヘルドパソコン、スマートブック、スマートフォン、タブレットＰＣ、ＰＤＡなどであっても良い。
【００９３】
ｂ．実施例１、２において、複合機Ｆを駆動させるドライバーを含む多目的アプリケーションは、下記の機能を備えていても良い。
・多目的アプリケーションは、持ち込みした携帯端末６から、飲食物（ドリンク、軽食など）が注文できる機能を有する。
・多目的アプリケーションは、カフェ側からのお知らせや案内（残り時間は○○分です、モーニングメニューです、ランチメニューです等）が、割り込みより、持ち込み携帯端末６に表示する機能を有する。
・多目的アプリケーションは、ワークスペースＷの利用者が行った、飲食物の注文、ワークスペースＷの利用時間、複合機Ｆの利用内容から合計の請求金額を算出して、ワークスペースＷから退出する際に、ワークスペースＷ内またはカフェの受付で自動清算できる様にしても良い。
【００９４】
ｃ．実施例１、２において、パブリックスペースＰ側にも無線Ｗｉ−Ｆｉのアクセスポイントを配設しても良いが、混信や速度低下の防止を図るため、ワークスペースＷのアクセスポイントと異なる周波数（４ＧＨｚ帯）のアクセスポイントを設置するのが好ましい。  この場合、パブリックスペースＰの無線Ｗｉ−Ｆｉは、下記の様に、携帯端末６のメールアドレスを認証してから利用できるJapan Connected-free Wi-Fiが好適である（例：携帯端末６がアンドロイドスマートフォンの場合）
メニューから”設定”をタップ
”Ｗｉ−Ｆｉ”をタップ
‘ｆｒｅｅｓｏｐｔ’＝ＳｅｃｕｒｉｔｙＰａｓｓｗｏｒｄ（ＡＥＳ）をタップ
ｆｒｅｅｓｏｐｔを入力し、”接続”をタップ
”ネットワークにログイン”が表示される。
利用承諾書画面の”同意する”をタップ。
”メール認証方式”、”メールアドレスを入力して登録”を選択
携帯端末６で受信できるメールアドレスを入力し、”送信”をクリック
受信メールに記載されているパスワードを、パスワード入力欄に入力し、”送信”を    クリック。
【００９５】
ｄ．実施例１、２において、ワークスペースＷに置く机に椅子を連結し、この椅子を連結した机をレールで動かせる構造にしても良い。
【符号の説明】
【００９６】
Ａ  多目的カフェの基本構造
Ｆ  複合機
Ｐ  パブリックスペース
６  持ち込み携帯端末
７  漏洩同軸ケーブル
９  アクセスポイント
１０  カウンター席
１５  テーブル席
２０  床
２１、２２、２３  入口扉  
２４、２５  内壁
２６  奥壁
２７  天井
３１  仕切り壁
３２  机
３３  椅子
３４  延設板（板）
４０  複合コンセント（コンセント）
４２  ＲＪモジュラージャック
５１、５２、５３  パネル
８０、９０  インターネット
【図１】
2019157587.tif 000003
【図２】
2019157587.tif 000004
【図３】
2019157587.tif 000005
【図４】
2019157587.tif 000006
【図５】
2019157587.tif 000007
【図６】
2019157587.tif 000008
【図７】
2019157587.tif 000009